(57)【要約】【課題】洗濯兼脱水槽のブレーキを安定して解除し得る洗濯機を提供することを課題とする。【解決手段】外枠１２と、外枠１２内に配設される水槽３と、水槽内に配設される洗濯兼脱水槽１と、洗濯兼脱水槽１を回転駆動するモータ５と、洗濯兼脱水槽１の回転を停止するブレーキ機構部６とを備え、ブレーキ機構部６は、ブレーキ解除時に移動するコックロッド２４と、コックロッド２４に形成した当て部２５に当接して回転しブレーキを解除するブレーキレバー２０とを有し、ブレーキレバー２０は、当て部２５との当接部分に当て部２５が遊嵌する湾曲形状の凹部３１を設ける。【選択図】図２
2016187368.tif 000002
【特許請求の範囲】
【請求項１】
外枠と、前記外枠内に配設される水槽と、前記水槽内に配設される洗濯兼脱水槽と、前記洗濯兼脱水槽を回転駆動するモータと、前記洗濯兼脱水槽の回転を停止するブレーキ機構部とを備え、前記ブレーキ機構部は、ブレーキ解除時に移動するコックロッドと、前記コックロッドに形成した当て部に当接して回転しブレーキを解除するブレーキレバーとを有し、前記ブレーキレバーは、前記当て部との当接部分に前記当て部が遊嵌する湾曲形状の凹部を設けたことを特徴とする洗濯機。
【発明の詳細な説明】
【技術分野】
【０００１】
本発明は、洗濯兼脱水槽のブレーキ機構部を有する洗濯機に関する。
【背景技術】
【０００２】
洗濯機においては、洗濯工程終了後、洗濯水を排出し、衣類に含浸した水分を絞り出す脱水工程を行うが、その際、洗濯兼脱水槽を制動するブレーキ機構部を解除する。
【０００３】
図３は、従来の洗濯機の断面図である。図３に基づいて、以下に、従来の洗濯機を説明する。
【０００４】
洗濯兼脱水槽１は、洗濯物を収容するもので、中央底部にパルセータ２を回転自在に配設している。水槽３は、洗濯兼脱水槽１を内包し、水槽３の外底部には、取付金具４を固着し、モータ５と、ブレーキ機構部６を有する洗濯・脱水切替機構を備える収納ケース７を配設している。洗濯・脱水切替機構により洗濯兼脱水槽１とパルセータ２とをモータ５により選択的に回転駆動する。水槽３の外底部には、排水弁装置８およびブレーキ解除機構であるコックロッド９を配設している。水槽３の外周下部は、防振装置１０及び吊り棒１１により外枠１２の上部角隅１３から垂下支持している。外枠１２の上部には、上部カバー１４を設け、上部カバー１４に給水弁１５、電源スイッチ１６、制御装置１７などを配設している。
【０００５】
図４は、従来の洗濯機におけるブレーキ機構部６の平面図である。
【０００６】
ブレーキ機構部６は、図４に示すように、洗濯兼脱水槽１を支持する支軸１８にブレーキホイール１９を固着し、ブレーキホイール１９をケース１９ａに収容している。ブレーキバンド２１の一端をケース１９ａの一端に固定し、ブレーキバンド２１の他端をブレーキレバー２０に固着し、ブレーキバンド２１をブレーキばね２２のばね力によりブレーキホイール１９に圧接させて、支軸１８にブレーキ力を加えるように構成している。ブレーキレバー２０をブレーキばね２２のばね力に抗して軸２３を中心として矢印ａ方向に回動させると、ブレーキ力が解除される。
【０００７】
図５は、従来の洗濯機におけるブレーキ解除機構を示す平面図である。図６は、従来の洗濯機におけるブレーキ解除機構の要部を拡大した平面図であり、当て部とブレーキレバーが当接していない状態を示す。図７は、従来の洗濯機におけるブレーキ解除機構の要部を拡大した平面図であり、当て部とブレーキレバーが当接した状態を示す。
【０００８】
図５から図７に示すように、ブレーキ解除機構であるコックロッド２４は、半球形状の当て部２５を一体に突出形成し、ブレーキ解除時に当て部２５をブレーキレバー２０に当接する。コックロッド２４の一端には、駆動装置２６の駆動軸２７を係止し、コックロッド２４の他端には、コックロッド２４をブレーキレバー２０から離れる方向に付勢する排水弁装置８のばね２８を係止している。
【０００９】
洗濯機は、洗い工程、またはすすぎ工程の終了時に、排水弁装置８を動作させてブレーキ機構部６のブレーキ力を解除し、水槽３内の洗濯排水がほぼなくなった時点から脱水工程を実行する。
【００１０】
上記構成において、ブレーキ機構部６のブレーキ力を解除する際には、駆動装置２６を駆動して駆動軸２７を図６及び図７の矢印ｂ方向に移動させると、コックロッド２４を介
してブレーキレバー２０が図６及び図７の矢印ａ方向に回動し、ブレーキ力を解除できる。
【先行技術文献】
【特許文献】
【００１１】
【特許文献１】特開２００１−２５９２８８号公報
【発明の概要】
【発明が解決しようとする課題】
【００１２】
しかしながら、従来の洗濯機では、コックロッド２４は、一端を駆動装置２６の駆動軸２７を係止し、他端を排水弁装置８のばね２８を係止しているので、駆動軸２７とばね２８とを結ぶ仮想線に対して直交する方向に遊びを有している。コックロッド２４の当て部２５が半球形状に形成され、当て部１５に当接するブレーキレバー２０が平面形状に形成されているため、駆動装置２６がコックロッド２４を図６及び図７中に矢印ｂに示す方向に移動させるに従って、コックロッド２４が駆動軸２７とばね２８とを結ぶ仮想線に対して直交する方向にずれが生じ、ブレーキレバー２０のストロークが安定しない。ブレーキレバー２０のストロークが少ない場合には、ブレーキの解除が正しく行えない虞が生じる。
【００１３】
本発明は、前記従来の課題を解決するもので、ブレーキの解除を安定して行ない得る洗濯機を提供することを目的とする。
【課題を解決するための手段】
【００１４】
前記従来の課題を解決するために、本発明の洗濯機は、外枠と、前記外枠内に配設される水槽と、前記水槽内に配設される洗濯兼脱水槽と、前記洗濯兼脱水槽を回転駆動するモータと、前記洗濯兼脱水槽の回転を停止するブレーキ機構部とを備え、前記ブレーキ機構部は、ブレーキ解除時に移動するコックロッドと、前記コックロッドに形成した当て部に当接して回転しブレーキを解除するブレーキレバーとを有し、前記ブレーキレバーは、前記当て部との当接部分に前記当て部が遊嵌する湾曲形状の凹部を設けたものである。
【００１５】
これにより、ブレーキレバーのストロークを安定して得ることが出来る。
【発明の効果】
【００１６】
本発明に係る洗濯機は、ブレーキレバーのストロークを安定して得ることができる。
【図面の簡単な説明】
【００１７】
【図１】本発明の実施の形態の洗濯機におけるブレーキ解除機構の要部拡大平面図
【図２】同洗濯機におけるブレーキ解除機構の要部拡大平面図
【図３】従来の洗濯機の断面図
【図４】同洗濯機におけるブレーキ機構部の平面図
【図５】同洗濯機におけるブレーキ解除機構の平面図
【図６】同洗濯機におけるブレーキ解除機構の要部拡大平面図
【図７】同洗濯機におけるブレーキ解除機構の要部拡大平面図
【発明を実施するための形態】
【００１８】
第１の発明は、外枠と、前記外枠内に配設される水槽と、前記水槽内に配設される洗濯兼脱水槽と、前記洗濯兼脱水槽を回転駆動するモータと、前記洗濯兼脱水槽の回転を停止するブレーキ機構部とを備え、前記ブレーキ機構部は、ブレーキ解除時に移動するコックロッドと、前記コックロッドに形成した当て部に当接して回転しブレーキを解除するブレーキレバーとを有し、前記ブレーキレバーは、前記当て部との当接部分に前記当て部が遊
嵌する湾曲形状の凹部を設けたものである。
【００１９】
これにより、コックロッドが移動し、ブレーキレバーが回転しても、当て部が凹部に当接した状態が維持され、ブレーキレバーが安定したストロークを得ることができる。これによって、ブレーキの解除を正しく、確実に行なうことが可能となる。
【００２０】
図１は、本発明の実施の形態における洗濯機のブレーキレバーとコックロッドを示す平面図であり、ブレーキレバーとコックロッドの当て部が離間した状態を示す。図２は、同洗濯機のブレーキレバーとコックロッドを示す平面図であり、ブレーキレバーとコックロッドの当て部が当接した状態を示す。
【００２１】
図１及び図２に基づいて、本実施の形態を説明する。なお、洗濯機の構成およびブレーキ機構部の構成は従来例と同じであるので説明を省略し、ブレーキ解除装置であるコックロッドについても従来例と同じ構成のものは同一符号を付して説明を省略する。
【００２２】
ブレーキレバー２０には、コックロッド２４の当て部２５と当接する部分に、当て部２５が遊嵌する湾曲形状の凹部３１を形成している。
【００２３】
ブレーキ機構部６のブレーキ力を解除する際には、駆動装置２６を駆動してコックロッド２４を図１及び図２中に示す矢印ｂ方向に移動させると、コックロッド２４を介してブレーキレバー２０が図２中に示す矢印ａ方向に回動し、ブレーキ力を解除される。
【００２４】
ブレーキレバー２０のコックロッド２４の当て部２５と当接する部分に当て部２５が遊嵌する湾曲形状の凹部３１を形成しているので、図２に示すように、コックロッド２４が移動し、ブレーキレバー２０が回転しても、当て部２５が凹部３１に当接した状態が維持され、ブレーキレバー２０が安定したストロークを得ることができる。これによって、ブレーキの解除を正しく、確実に行なうことが可能となる。
【産業上の利用可能性】
【００２５】
以上のように、本発明に係る洗濯機は、家庭用、業務用にかかわらず、洗濯機以外にも洗濯乾燥機にも好適に利用される。
【符号の説明】
【００２６】
２０  ブレーキレバー
２４  コックロッド
２５  当て部
３１  凹部
【図１】
2016187368.tif 000003
【図２】
2016187368.tif 000004
【図３】
2016187368.tif 000005
【図４】
2016187368.tif 000006
【図５】
2016187368.tif 000007
【図６】
2016187368.tif 000008
【図７】
2016187368.tif 000009